(57)【要約】      （修正有）【課題】雑音吸収効果が確実に得られる保持具を提供する。【解決手段】電線Ｗを取り囲むようにする形状に形成されて、かつ該電線の軸方向に沿って二分割した一対の磁性体取付部材３０,３０を収納すると共に、開口面を有する一対の収納部１１,１２と、前記収納部１１,１２において前記電線Ｗを挿通するための切欠が形成される一方の側壁に、該電線に沿って該収納部１１,１２の外方へ延設された電線固定部２０,２０とを備え、前記一対の収納部１１,１２の開口面同士を合わせることで閉じた状態となり、前記開口面同士を離すことで開いた状態となるように構成された保持具において、前記収納部１１,１２における前記電線固定部２０,２０が延設されている一方の側壁の反対側に位置する他方の側壁１４ｂに保持片２２を設け、前記一対の収納部の開口面同士が合わされて閉じた状態を保持するようにした。【選択図】図１
2014060326.tif 000002
【特許請求の範囲】
【請求項１】
電線(W)を取り囲むようにする形状に形成されて、かつ該電線(W)の軸方向に沿って二分割した一対の磁性体(30,30)を収納すると共に、開口面を有する一対の収納部(11,12)と、
前記収納部(11,12)において前記電線(W)を挿通するための切欠(19a)が形成される一方の側壁(14a)に、該電線(W)に沿って該収納部(11,12)の外方へ延設された電線固定部(20,20)とを備え、
前記一対の収納部(11,12)の開口面同士を合わせることで閉じた状態となり、
前記開口面同士を離すことで開いた状態となるように構成された保持具において、
前記収納部(11,12)における前記電線固定部(20)が延設されている一方の側壁(14a)の反対側に位置する他方の側壁(14b)に、前記一対の収納部(11,12)の開口面同士が合わされて閉じた状態を保持するようにした
ことを特徴とする保持具。
【請求項２】
前記他方の側壁(14b)には、保持片(22)が備えられることで前記一対の収納部(11,12)の開口面同士が合わされて閉じた状態を保持するようにした請求項１に記載の保持具。
【請求項３】
前記保持片(22)は、前記一方の側壁(14a)および他方の側壁(14b)の双方に備えられている請求項１記載の保持具。
【発明の詳細な説明】
【技術分野】
【０００１】
本発明は、各種電子・電気機器において、電磁波障害対策として電線を内部に通す磁性体を固定するために使用される雑音電流吸収具用の保持具に関する。
【背景技術】
【０００２】
従来、電線にながれる電流の雑音を吸収して雑音吸収効果を得る方法として、電線の周囲を取り囲むように磁性体を外嵌させ、この磁性体により電線を流れる雑音電流を吸収する(雑音吸収効果を得る)技術が知られている。
このような雑音電流吸収具では、収納部に磁性体を収納し、筒状体の内部を電線が通過するように閉じると、二分割された磁性体の接合面が合わさることで磁気的に閉磁路となり、雑音吸収効果を得ることができる。
【０００３】
一方、分割型ホルダーの半円形窓部中央に外方に延びる樋状片を一体に設け、この樋状片を電線に両側から当接させて、樋状片の上から束線バンドで緊縛して電線を固定するホルダーがある（特許文献１参照）。このようなホルダーでは、電線を簡単に確実にホルダーを固定できる。
【先行技術文献】
【特許文献】
【０００４】
【特許文献１】特開平７−２４０３１７号公報
【発明の概要】
【発明が解決しようとする課題】
【０００５】
しかし、このような構造であると、束線バンドを緊縛して、電線をホルダーに固定する場合に、該電線の径が細かったり、電線とホルダーとを固定を確実に行うために束線バンドの緊縛を強くすると、図９に示す如く、ホルダーの周壁において、樋状片が設けられていない側が離間してしまい、その結果、ホルダー内部に収納されるコア片同士が離れてしまう問題がある。このようにコア片同士が離れてしまうと、分割されたコア片同士で磁気的な閉磁路が形成されなくなってしまうため、雑音吸収効果が得られなくなってしまう。
【０００６】
本発明は、上記問題を解決するためになされたものであり、雑音吸収効果が確実に得られる保持具を提供することにある。
【課題を解決するための手段】
【０００７】
本発明の請求項１記載の保持具は、電線を取り囲むようにする形状に形成されて、かつ該電線の軸方向に沿って二分割した一対の磁性体を収納すると共に、開口面を有する一対の収納部と、
前記収納部において前記電線を挿通するための切欠が形成される一方の側壁に、該電線に沿って該収納部の外方へ延設された電線固定部とを備え、
前記一対の収納部の開口面同士を合わせることで閉じた状態となり、
前記開口面同士を離すことで開いた状態となるように構成された保持具において、
前記収納部における前記電線固定部が延設されている一方の側壁の反対側に位置する他方の側壁に、前記一対の収納部の開口面同士が合わされて閉じた状態を保持するようにしたことを特徴とする。
【０００８】
また、本発明の請求項２記載の保持具は、前記他方の側壁には、保持片が備えられることで前記一対の収納部の開口面同士が合わされて閉じた状態を保持するようにした。
【０００９】
更に、本発明の請求項３記載の保持具は、前記保持片は、前記一方の側壁および他方の側壁の双方に備えられている。
【発明の効果】
【００１０】
本発明の保持具によれば、一対の収納部内に収納される磁性体(の接合面)同士が離れることがなく、分割された磁性体同士で磁気的な閉磁路が常時形成・維持されるため、雑音吸収効果が確実に得られる。
【００１１】
また、本発明の保持具によれば、磁性体(の接合面)同士が離れること防止する保持片が複数ある（請求項３）ため、より確実に雑音吸収効果が得られる。
【図面の簡単な説明】
【００１２】
【図１】(ａ)本発明の好適な実施例に係る保持具の斜視図、(ｂ)実施例に係る収納部の斜視図。
【図２】図１(ｂ)の収納部からフェライトを取り外した斜視図。
【図３】実施例に係るフェライトの斜視図。
【図４】(ａ)実施例に係る一対の収納部が係合していない状態を、一方の側壁側から示す説明図、(ｂ)実施例に係る一対の収納部が係合した状態を、一方の側壁側から示す説明図。
【図５】実施例に係る一対の収納部が係合した状態を、周壁側から示す説明図。
【図６】別の実施例に係る収納部の斜視図。
【図７】別の実施例に係る一対の収納部が係合した状態を、周壁側から示す説明図。
【図８】更に別の実施例に係る一対の収納部が係合した状態を、周壁側から示す説明図。
【図９】従来技術に係るホルダー(内に収納されたコア)が離間する様子を示す説明図。
【発明を実施するための形態】
【００１３】
次に、本発明の実施形態について一例を挙げて図面と共に説明する。
本実施形態の吸収具１は、図１に示すように、一対の収納部１１，１２と、それら収納部１１，１２夫々に収納される一対のフェライト３０(磁性体)と、からなるものである。そして、前記吸収具１内に電線Ｗを配置する(図１(ａ)参照)ことで、該電線Ｗを伝わる雑音（ノイズ電流）の伝播を抑制する(雑音吸収効果を得る)ものである。なお図１において、図面左下を前、図面右上を後とする。また、この図１(ａ)では、電線Ｗが前後方向に沿って吸収具１内に配置されている。そして前記収納部１１，１２からなる構成は合成樹脂により一体形成されている。
【００１４】
前記収納部１１と１２とは、その構成が同一であるので、一方の収納部１１を用いて説明する。前記収納部１１からフェライト３０を取り外した状態を図２に示す。
前記収納部１１は、中空の円柱を軸方向に二分割した形状であって、上側に開口面を有しており、その開口面からフェライト３０が出し入れ可能となっている。
【００１５】
前記収納部１１の底面には、フェライト３０を上方向に付勢する付勢片１６が、収納部１１の内側に突出するように形成されている。
この収納部１１は、基本的にその周面を形成する周壁１３と、前後に夫々設けられる側壁１４ａ、１４ｂとから構成されている。
そして前記周壁１３には、収納部１１の内側に向けて突出する一対の突起部１５,１５が形成されている。また前記周壁１３の両端辺の略中央には、夫々収納部１１の外側に向けて突出する突起状の係合部１７と、この係合部１７が係合可能な被係合部１８が形成されている。
【００１６】
前記側壁１４ａ、１４ｂには、略半円形の切欠１９ａ，１９ｂが夫々形成されている。そして一方(側壁１４ａ側)の前記切欠１９ａの周縁中央には、前記収納部１１の外方へ延びる電線固定部２０が設けられている。
また、前記収納部１１において前記電線固定部２０が延設された一方の側壁１４ａと、その反対側の他方の側壁１４ｂには、夫々上方に延在する保持片２２が設けられている。
そして、前記保持片２２の側方には、収納部１１と収納部１２とが係合して吸収具１を形成した際に、該収納部１２の保持片２２が係合する保持片係合部２４が設けられている。
【００１７】
フェライト３０は、図３に示すように、軸方向に長さを有する環状体（即ち、筒状体）を軸方向に二分割してなる形状を有している。フェライト３０の中央部には、断面半円形の電線挿通溝３１が軸方向（図中の右上−左下の前後方向）に沿って形成されており、その両側には接合面３２が形成されている。
また、フェライト３０の左右両外側面には、軸方向（図中前後方向）に沿って、前述した突起部１５,１５と係合する係合溝３４,３４が形成されている。
なお、前記収納部１１，１２にはフェライト３０として同じものが収納される。
【００１８】
前述した構成を有する吸収具１を前後方向からみた側面図を図４(ａ)、(ｂ)に示す。この吸収具１は、図４(ａ)に示す如く、開口面同士を離すことで開いた状態(開放状態)となって、フェライト３０の出し入れが可能となる。また、フェライト３０の係合溝３４,３４に突起部１５,１５とが係合(図示せず)しており、フェライト３０が容易に収納部１１，１２から抜け落ちることを抑制している。なお、この状態ではフェライト３０同士は接合しておらず、環状体を形成していない。
【００１９】
一方、図４（ｂ）に示すように、収納部１１，１２の開口面同士を合わせることで閉じた状態となって、収納するフェライト３０の出し入れが不能となる。このとき、前記収納部１１の係合部１７と被係合部１８とは、収納部１２の被係合部１８と係合部１７とは夫々係合しており、それにより吸収具１が閉じた状態が維持される。
また同時に、前記収納部１１の保持片２２は、収納部１２の保持片係合部２４に対して、該収納部１２のの保持片２２は、収納部１１の保持片係合部２４に対して、夫々係合し合う。
【００２０】
この吸収具１が閉じた状態(閉成状態)において、フェライト３０は、接合面３２同士が接合して環状体を形成する。この環状体の貫通孔、即ち２つの電線挿通溝３１に囲まれた領域が、電線Ｗを挿通するための挿通孔４０となる。なお、フェライト３０は付勢片１６により各収納部１１，１２の開口面方向に付勢されているため、フェライト３０同士は、その接合面３２同士が確実に接合する。
【００２１】
また、前記収納部１１，１２の夫々の切欠１９ａ，１９ｂは、フェライト３０の電線挿通溝３１に沿った位置となっているため、吸収具１を閉じても挿通孔４０が塞がれることはない。
【００２２】
そして開放状態にある吸収具１の前記収納部１１，１２の電線挿通溝３１に対して電線Ｗを配置して、閉成状態とすることで、吸収具１に電線Ｗが配置される。その後、前記電線Ｗと、吸収具１とを強固に固定するために、図５に示す如く、該電線Ｗを前記収納部１１の電線固定部２０と、収納部１２の電線固定部２０とで挟持し、これを、例えば束線バンドＢで緊縛する。なお、図５、後述する図７および図８においては、図面右側が前、図面左側が後となっている。
【００２３】
このとき、前記電線Ｗの硬度、弾性等によって、前記電線固定部２０が電線Ｗに対して食い込む等して、前記収納部１１の電線固定部２０と、収納部１２の電線固定部２０とが電線Ｗの径以上に接近する状態となる。この場合、前記電線固定部２０が設けられる一方の切欠１９ａ側の反対側である他方の切欠１９ｂ側では、収納部１１と収納部１２とが離間する力が働く。
【００２４】
しかし、前記電線固定部２０が設けられる一方の側壁１４ａの反対側に位置する他方の側壁１４ｂには、保持片２２および保持片係合部２４が設けられているため、前記収納部１１と収納部１２との離間が防止され、一対の収納部１１、１２の開口面同士が合わされて閉じた状態が保持される。その結果、一対の収納部１１、１２内に収納されるフェライト３０(の接合面３２)同士が離れることがなく、分割されたフェライト３０同士で磁気的な閉磁路が常時形成・維持されるため、雑音吸収効果が確実に得られる。
【００２５】
（別の実施例）
上述の実施例では、他方の側壁１４ｂにだけ保持片２２が備えられた例を挙げたが、本発明はこの実施例に限定されるものではない。例えば図６および図７に示す如く、他方の側壁１４ｂに加えて、一方の側壁１４ａに保持片２２を備えるようにしてもよい。この場合の保持具５０は、双方の側壁１４ａ,１４ｂに保持片２２,２２が備えられるため、一対の収納部１１、１２内に収納されるフェライト３０(の接合面３２)同士が離れることを、より確実に防止するため、雑音吸収効果がより確実に得られる。
【００２６】
（更に別の実施例）
上述の別の実施例と、別の実施例では、何れも側壁に保持片が備えられた形状であるが、本発明はこれに限定されず、図８に示す如く、双方の側壁１４ａ,１４ｂに電線固定部２０,２０を延設してもよい。この保持具６０でも、一対の収納部１１、１２内に収納されるフェライト３０(の接合面３２)同士が離れることが好適に防止されるので、雑音吸収効果を確実に得られる。
【００２７】
なお、上述の更に別の実施例に場合、一対の収納部１１,１２から外方へ延在する電線固定部２０,２０が、側壁１４ａ,１４ｂ側の両方に設けられる。そのため、実施例の保持具１や、別の実施例の保持具５０に比較して、電線Ｗがより長い部分で動きを規制される。そのため、狭い場所への配置が求められる場合には、該保持具１、保持具５０の方が好適である。
【００２８】
（変更例）
(１)上記実施例では、電線固定部２０は切欠の周縁中央に設けられている。しかし、本発明はこれに限定されず、電線固定部２０は、切欠の周縁中央から左右方向に移動した適宜移動した位置に設けるようにしてもよい。このようにすることで一対の収納部１１,１２を係合させて吸収具が閉じた状態がされる際に、係合部１７・被係合部１８と、電線固定部２０,２０との位置関係を変えることが可能となる。このため、保持具が使用される状況、スペース等に合わせて前述の位置関係を変えることで、電線Ｗを確実に保持具に対して固定すると共に、一対の収納部１１,１２の係合を好適になし得るように構成できる。
(２)上記実施例では、フェライト３０に挿通させて雑音吸収効果を得る対象物として電線が挙げられているが、本発明はこれに限定されるものではなく、電気・信号を流すもの等であって、雑音（ノイズ電流）の伝播が考えられるもの全てに適応可能である。
【符号の説明】
【００２９】
１  吸収具、
１１  収納部、
１２  収納部、
１４ａ  一方の側壁、
１４ｂ  他方の側壁、
１５  突起部、
１６  付勢片、
１７  係合部、
１８  被係合部、
１９ａ  切欠、
１９ｂ  切欠、
３０  フェライト、
３１  電線挿通溝、
３２  接合面、
３４  係合溝、
４０  挿通孔
【図１】
2014060326.tif 000003
【図２】
2014060326.tif 000004
【図３】
2014060326.tif 000005
【図４】
2014060326.tif 000006
【図５】
2014060326.tif 000007
【図６】
2014060326.tif 000008
【図７】
2014060326.tif 000009
【図８】
2014060326.tif 000010
【図９】
2014060326.tif 000011